(57)【要約】【課題】自動販売機の消費電力を低減すること。【解決手段】断熱材によって予め板状に構成し、かつ商品搬出口７２に対応する部位に搬出用開口７３ａを設けた扉本体７３と、金属製の板状部材によって成形し、かつ搬出用開口７３ａに対応する切欠７７ａを有して成り、搬出用開口７３ａの周囲を覆うとともに、扉本体７３の上方部背面を露出させる態様で扉本体７３の下方部背面に配設した下部背面板金体７７とを備えて自動販売機の内扉７０を構成している。【選択図】        図１０
2005078275.tif 000002
【特許請求の範囲】
【請求項１】
外箱の内部に断熱構造の商品収容庫を設けた自動販売機に適用され、該商品収容庫の前面開口を覆う態様で配設される一方、前記商品収容庫から払い出された商品を通過させるための商品搬出口を有した自動販売機用扉体において、
断熱材によって予め板状に構成し、かつ前記商品搬出口に対応する部位に搬出用開口を設けた扉本体と、
金属製の板状部材によって成形し、かつ前記搬出用開口に対応する切欠を有して成り、該搬出用開口の周囲を覆うとともに、前記扉本体の上方部背面を露出させる態様で前記扉本体の下方部背面に配設した下部背面板金体と
を備えることを特徴とする自動販売機用扉体。
【請求項２】
金属製の板状部材によって成形した前面板金体を前記扉本体の前面に配設したことを特徴とする請求項１に記載の自動販売機用扉体。
【請求項３】
前記前面板金体は、前記搬出用開口に対応する切欠を有し、前記扉本体の上方部前面を露出させる態様で前記扉本体の下方部前面に配設した下部前面板金体を備えることを特徴とする請求項２に記載の自動販売機用扉体。
【請求項４】
前記前面板金体は、前記下部前面板金体から離隔する態様で前記扉本体の上方部前面に配設した上部前面板金体を備えることを特徴とする請求項２または請求項３に記載の自動販売機用扉体。
【請求項５】
前記扉本体の背面から前面に亘る部位を含む態様で該扉本体の周縁部に金属製の縁補強部材を配設するとともに、該縁補強部材に前面側と背面側との間の熱移動を規制するための熱移動規制切欠を形成したことを特徴とする請求項１に記載の自動販売機用扉体。
【発明の詳細な説明】
【技術分野】
【０００１】
本発明は、外箱の内部に断熱構造の商品収容庫を設けた自動販売機に適用され、該商品収容庫の前面開口を覆う態様で配設される一方、前記商品収容庫から払い出された商品を通過させるための商品搬出口を有した自動販売機用扉体に関するものである。
【背景技術】
【０００２】
缶入り飲料やペットボトル入り飲料等の商品を販売する自動販売機においては、外箱の内部に断熱構造の商品収容庫が設けられているとともに、この商品収容庫の内部に商品を収納するための商品収納ラックが設けられており、商品収容庫の内部雰囲気を加熱、もしくは冷却することによって商品収納ラックに収納させた商品を所望の温度状態に維持するようにしている。例えばホット飲料を販売する場合には、商品収容庫の内部を加熱ヒータにより５５℃程度に加熱する一方、コールド商品を販売する場合には、商品収容庫の内部を冷却ユニットにより５℃程度に冷却しており、利用者の選択した商品をそれぞれ最適販売温度で提供するようにしている。
【０００３】
商品収容庫は、外箱の内部に内箱を配設するとともに、これら外箱と内箱との間に断熱材を介在させることによって構成されている。内箱は、金属板によって構成されたもので、前面に開口した箱状を成している。
【０００４】
内箱の前面開口には、内扉と称される断熱構造の扉体が開閉可能に設けられている。扉体としては、例えば、金属からなる箱状の外枠にウレタン材を注入発泡させて構成したものやウレタンボード等の断熱板の前面を金属板で覆うことにより構成したものが提供されている。扉体の下方部には、商品収容庫の商品収納ラックから払い出された商品を通過させるための商品搬出口が設けられている。
【０００５】
ここで、前者の扉体にあっては、これを閉成した場合に外枠を構成する金属板が商品収容庫に面することになる。この金属板は、熱の移動経路として機能するようになるため、例えば商品収容庫の内部において加熱している室と冷却している室との間で熱の授受が発生することになる。このため、加熱ヒータや冷凍機を常に運転しておかなければならず、消費電力の点で必ずしも好ましいものとは言えない。
【０００６】
これに対して後者の扉体によれば、これを閉成した場合に断熱板が直接商品収容庫に面することになる。従って、扉体を通じた熱の移動が大幅に抑制されるため、例えば商品収容庫の内部において加熱している室と冷却している室との間で熱の授受がほとんどなくなり、消費電力の低減を図ることが可能になる（例えば、特許文献１参照）。
【０００７】
【特許文献１】特開２００２−２１６２２５号公報
【発明の開示】
【発明が解決しようとする課題】
【０００８】
ところで、商品収容庫において商品収納ラックから払い出された商品は、商品収容庫の下方部に設けられた商品シュータに落下し、その後、商品シュータの傾斜に沿って適宜転動／滑動しながら前方に案内され、最終的に扉体の商品搬出口を通じて外部に搬出されることになる。
【０００９】
通常、自動販売機の商品シュータには、落下した商品を商品搬出口へ案内するためのガイドが設けられている。従って、商品シュータに払い出された商品は、そのほとんどが商品シュータおよびガイドにのみ当接して商品搬出口から搬出されるようになる。
【００１０】
しかしながら、商品シュータに払い出された商品の中には、商品シュータの傾斜に沿って転動／滑動する際に勢い余って前方に飛び出し、商品搬出口の上部や側部等々、扉体の内壁面に衝突するものもある。商品が扉体の内壁面に衝突した場合には、断熱板に損傷を来し、扉体に十分な断熱機能を確保することが困難となる虞れがある。この結果、例えば商品収容庫の内部と外部との間で熱の授受が発生し、消費電力が増大する事態を招来することになる。特に、商品シュータに払い出された商品が缶入り飲料やボトル缶入り飲料、あるいは瓶入り飲料のように容器自体が硬質のものである場合、またペットボトル飲料にあってもそのキャップ部分が当接した場合には、上述した事態を招来する虞れが高くなる。
【００１１】
本発明は、上記実情に鑑みて、自動販売機の消費電力を低減することのできる自動販売機用扉体を提供することを目的とする。
【課題を解決するための手段】
【００１２】
上記の目的を達成するために、本発明の請求項１に係る自動販売機用扉体は、外箱の内部に断熱構造の商品収容庫を設けた自動販売機に適用され、該商品収容庫の前面開口を覆う態様で配設される一方、前記商品収容庫から払い出された商品を通過させるための商品搬出口を有した自動販売機用扉体において、断熱材によって予め板状に構成し、かつ前記商品搬出口に対応する部位に搬出用開口を設けた扉本体と、金属製の板状部材によって成形し、かつ前記搬出用開口に対応する切欠を有して成り、該搬出用開口の周囲を覆うとともに、前記扉本体の上方部背面を露出させる態様で前記扉本体の下方部背面に配設した下部背面板金体とを備えることを特徴とする。
【００１３】
また、本発明の請求項２に係る自動販売機用扉体は、上述した請求項１において、金属製の板状部材によって成形した前面板金体を前記扉本体の前面に配設したことを特徴とする。
【００１４】
また、本発明の請求項３に係る自動販売機用扉体は、上述した請求項２において、前記前面板金体が、前記搬出用開口に対応する切欠を有し、前記扉本体の上方部前面を露出させる態様で前記扉本体の下方部前面に配設した下部前面板金体を備えることを特徴とする。
【００１５】
また、本発明の請求項４に係る自動販売機用扉体は、上述した請求項２または請求項３において、前記前面板金体が、前記下部前面板金体から離隔する態様で前記扉本体の上方部前面に配設した上部前面板金体を備えることを特徴とする。
【００１６】
また、本発明の請求項５に係る自動販売機用扉体は、上述した請求項１において、前記扉本体の背面から前面に亘る部位を含む態様で該扉本体の周縁部に金属製の縁補強部材を配設するとともに、該縁補強部材に前面側と背面側との間の熱移動を規制するための熱移動規制切欠を形成したことを特徴とする。
【発明の効果】
【００１７】
本発明によれば、断熱材によって構成した扉本体の下方部背面にのみ下部背面板金体を設けるようにしているため、これを閉成した場合にも熱の移動経路を可及的に小さくすることができ、例えば商品収容庫の内部において加熱している室と冷却している室との間で熱の授受を抑制することができる。しかも、商品搬出口の周囲を覆う態様で下部背面板金体を設けるようにしているため、商品収容庫から払い出された商品が衝突した場合であっても、断熱板に損傷を来すことなく、常に十分な断熱機能を確保することができ、断熱板の損傷に起因して消費電力が増大する事態を招来する虞れもない。
【発明を実施するための最良の形態】
【００１８】
以下に添付図面を参照して、本発明に係る自動販売機用扉体の好適な実施例について詳細に説明する。
【実施例】
【００１９】
図１は、本発明の実施例である扉体を適用した自動販売機を概念的に示したものである。ここで例示する自動販売機は、缶入り飲料やペットボトル入り飲料等の商品を冷却、もしくは加熱した状態で販売するもので、外箱１０を備えている。
【００２０】
外箱１０は、図２に示すように、複数の金属板を適宜組み合わせることによって構成したもので、前面が開口した箱状に構成してある。より具体的には、上壁１１、一対の側壁１２、底壁１３、背壁１４を接合することによって箱状の外箱１０を構成するようにしている。一対の側壁１２は、それぞれ底壁１３よりも下方に延在しており、互いの間に台座壁１５を接合してある。
【００２１】
外箱１０には、その内部に断熱構造の商品収容庫２０が設けてある。本実施例では、図２に示すように、上壁１１、一対の側壁１２、底壁１３、背壁１４の内壁面にそれぞれ予め板状に成形した断熱ボード２１を配設することにより、これら断熱ボード２１によって囲まれる空間に商品収容庫２０を構成するようにしている。断熱ボード２１は、図には明示していないが、発泡ウレタン等の断熱材によって成形した板状部材の表裏両面にそれぞれ面材として樹脂フィルムやクラフト紙を貼着したものである。
【００２２】
この商品収容庫２０の内部には、図３〜図５に示すように、上端部に前方フレーム材２２および後方フレーム材２３を介して複数のラック支持フレーム３０が左右方向に沿って並設してある。
【００２３】
ラック支持フレーム３０は、後述する商品収納ラック４０を保持するためのもので、それぞれが一対の縦フレーム材３１の間に複数の横フレーム材３２を架設することによって予め格子状に構成してある。
【００２４】
縦フレーム材３１は、図５に示すように、長尺平板状の縦材水平部３１ａと、縦材水平部３１ａの一端縁部から直角に屈曲した長尺平板状の縦材垂下部３１ｂとを有したもので、横断面がＬ字状を成している。縦フレーム材３１における縦材水平部３１ａの前端部には、それぞれネジ孔３１ｃが設けてある。各ラック支持フレーム３０の縦フレーム材３１は、互いに縦材水平部３１ａの他端縁を対向させる態様で相互に平行に配設してある。
【００２５】
それぞれの縦フレーム材３１の後端部には、規制手段として載置部３１ｄおよび係合部３１ｅが設けてある。載置部３１ｄは、図６の（ａ）に示すように、縦材垂下部３１ｂの下縁よりも上方となる位置に設けた下方に向く下面である。係合部３１ｅは、載置部３１ｄよりも後方側に位置する部位から下方に向けて突設した舌片状部分である。これら載置部３１ｄおよび係合部３１ｅは、いずれも縦フレーム材３１の縦材垂下部３１ｂと同一の板厚に構成してある。
【００２６】
横フレーム材３２は、長尺平板状の横材水平部３２ａと、横材水平部３２ａの一端縁部から直角に屈曲した長尺平板状の横材垂下部３２ｂと、横材垂下部３２ｂの延在縁部から横材水平部３２ａに対して平行に延在した後に該横材水平部３２ａに向けて直角に屈曲した係止部３２ｃとを有したもので、横材水平部３２ａの各端部をそれぞれ縦フレーム材３１における縦材水平部３１ａの上面に接合させ、互いに平行となる態様で一対の縦フレーム材３１に接合してある。
【００２７】
尚、本実施例では、互いに左右幅の異なる３種類のラック支持フレーム３０を備えるものを例示している。これら３種類のラック支持フレーム３０は、横フレーム材３２の長さのみが異なるもので、個々の詳細構成は互いに同一である。
【００２８】
ラック支持フレーム３０を保持する前方フレーム材２２および後方フレーム材２３は、金属によって成形した長尺部材であり、それぞれ複屈曲した横断面形状を成している。具体的には、長尺平板状を成す基部２２ａ，２３ａと、基部２２ａ，２３ａの両側縁部からそれぞれ同一方向に向けて直角に屈曲した長尺平板状を成す一対の側部２２ｂ，２３ｂと、各側部２２ｂ，２３ｂの延在縁部から互いに離隔する方向に向けて直角に屈曲した長尺平板状を成す一対のフランジ部２２ｃ，２３ｃとを有し、横断面がいわゆるハット形状と称される前方フレーム材２２および後方フレーム材２３を構成してある。
【００２９】
前方フレーム材２２は、フランジ部２２ｃを介して上壁１１の前縁部下面に接合してあり、該上壁１１の下面から下方に向けて突出するとともに、左右方向に沿って延在している。後方フレーム材２３は、フランジ部２３ｃを介して背壁１４の上縁部前面に接合してあり、該背壁１４の前面から前方に向けて突出するとともに、左右方向に沿って延在している。前方フレーム材２２の後方側に位置する側部２２ｂと後方フレーム材２３の基部２３ａとの間には、上述したラック支持フレーム３０の縦フレーム材３１よりも短い長さが確保してある。
【００３０】
尚、前方フレーム材２２および後方フレーム材２３を外箱１０に接合する方法としては、例えば溶接やネジ止めを適用すれば良い。これらの接合方法は、いずれか一方を適用しても良いし、両者を併用するようにしても良い。
【００３１】
これら前方フレーム材２２および後方フレーム材２３には、互いに対応する部位にスリット２２ｄ，２３ｄが設けてある。
【００３２】
前方フレーム材２２に設けたスリット（以下、単に前方スリット２２ｄという）は、図７に示すように、後方側に位置する側部２２ｂに設けた矩形開口部２２ｄ１と、該水平挿入部に連続する態様で基部２２ａに設けた溝状部２２ｄ２とを有するもので、３つのラック支持フレーム３０を並設した場合に、それぞれの縦フレーム材３１に対応する位置に形成してある。前方スリット２２ｄの矩形開口部２２ｄ１は、縦フレーム材３１の縦材水平部３１ａを挿入することのできる大きさを有している。前方スリット２２ｄの溝状部２２ｄ２は、縦フレーム材３１の縦材水平部３１ａを矩形開口部２２ｄ１に挿入した際に縦材垂下部３１ｂを挿入することのできる大きさおよび位置に前後方向に沿って設けてある。この溝状部２２ｄ２は、図６の（ａ）に示すように、縦フレーム材３１の縦材垂下部３１ｂを前端部まで挿入した場合に、縦フレーム材３１の後端部を後方フレーム材２３から離隔させるだけの長さを有している。
【００３３】
後方フレーム材２３に設けたスリット（以下、単に後方スリット２３ｄという）は、図８に示すように、基部２３ａと上方側に位置する側部２３ｂとに亘る部位に溝状に設けたもので、縦フレーム材３１の縦材垂下部３１ｂを挿入することのできる大きさに形成してある。
【００３４】
また、図７に示すように、前方フレーム材２２の基部２２ａには、前方スリット２２ｄにおける矩形開口部２２ｄ１の前方となる位置にそれぞれネジ挿通孔２２ｅが設けてある一方、後方フレーム材２３のフランジ部２３ｃには、図３に示すように、ナット部材２３ｅが設けてある。ネジ挿通孔２２ｅは、ラック支持フレーム３０の縦フレーム材３１を後方フレーム材２３との間に掛け渡した際に、該縦フレーム材３１のネジ孔３１ｃに対応する部位に設けたものである。ナット部材２３ｅは、自動販売機を設置する際に、転倒防止用ボルトＢを螺合するためのもので、後方フレーム材２３の両端部に溶着してある。
【００３５】
上述した前方フレーム材２２および後方フレーム材２３との間にラック支持フレーム３０を保持させる場合には、図６の（ａ）に示すように、まず、各縦フレーム材３１の前端部を前方フレーム材２２の前方スリット２２ｄに挿入し、縦フレーム材３１の後端部を後方フレーム材２３から離隔した位置に配置させる。
【００３６】
この状態から、図６の（ｂ）に示すように、縦フレーム材３１の後端部に設けた係合部３１ｅを後方フレーム材２３の後方スリット２３ｄに挿入し、その後、図６の（ｃ）に示すように、係合部３１ｅを後方フレーム材２３の内部に位置させるとともに、載置部３１ｄを介して縦フレーム材３１の後端部を後方フレーム材２３に載置させる。
【００３７】
図６の（ｃ）に示す状態においては、縦フレーム材３１の後端部を後方フレーム材２３の後方スリット２３ｄから脱落する方向へ移動させようとした場合、当該縦フレーム材３１の係合部３１ｅが後方フレーム材２３の基部２３ａに当接係合することによってその移動が阻止されることになる。一方、縦フレーム材３１の前端部を前方フレーム材２２の前方スリット２２ｄから脱落する方向へ移動させようとした場合には、縦フレーム材３１の縦材垂下部３１ｂが後方フレーム材２３の基部２３ａに当接することによってその移動が阻止されることになる。従って、図６の（ｃ）に示す状態においては、ラック支持フレーム３０から手を離し、かつ振動や衝撃が加えられた場合にも、ラック支持フレーム３０が不用意に脱落する虞れはない。
【００３８】
最後に、前方フレーム材２２のネジ挿通孔２２ｅを通じて縦フレーム材３１のネジ孔３１ｃに固定ネジ２４を螺合させれば、前方フレーム材２２および縦フレーム材３１の互いに重なり合う重合部分が相互に固定され、ラック支持フレーム３０を外箱１０における上壁１１の下面から離隔する態様で商品収容庫２０の内部に取り付けることが可能となる。
【００３９】
これらの間、上記自動販売機によれば、縦フレーム材３１と横フレーム材３２とを予め格子状に構成してあるため、一度の操作によって一対の縦フレーム材３１を前方フレーム材２２と後方フレーム材２３との間に架設することが可能となる。さらに、上述したように、縦フレーム材３１の両端部をそれぞれ前方フレーム材２２の前方スリット２２ｄおよび後方フレーム材２３の後方スリット２３ｄに挿入載置させれば、不用意な脱落を招来することなく、ラック支持フレーム３０を仮に組み付けることが可能となる。これらの結果、ラック支持フレーム３０の取付作業をきわめて容易に行うことができるようになる。
【００４０】
このようにして商品収容庫２０の内部に配設されたラック支持フレーム３０には、図９に示すように、隣接するラック支持フレーム３０の相互間に断熱仕切板５０が配設してある。つまり、隣接するラック支持フレーム３０の間には、縦フレーム材３１の縦材垂下部３１ｂが対向して配置されることになり、これら縦材垂下部３１ｂの相互間に断熱仕切板５０の上端部が挟装保持されることになる。断熱仕切板５０は、商品収容庫２０の内部に複数の室を画成するためのもので、断熱ボードの適宜箇所に金属製の補強金具を取り付けることによって構成してある。図には明示していないが、本実施例では、断熱ボードの下方部、上縁部にそれぞれ上縁補強金具を取り付けた２枚の断熱仕切板５０を配設することによって商品収容庫２０の内部に３つの独立した室を画成するようにしている。
【００４１】
断熱仕切板５０によって画成されたそれぞれの室には、商品収納ラック４０が配設してある。商品収納ラック４０は、図３に示すように、一対の側板４１の間にセグメントと称される湾曲形状の案内部材４２を配設することによって上下方向に延在する蛇行状の商品収納域４３を構成したもので、該商品収納域４３に商品を収納する一方、商品払出指令が与えられた場合に対応する商品の払い出しを行う。本実施例では、それぞれの室に複数の商品収納域４３を有した商品収納ラック４０を前後に配設するようにしている。
【００４２】
それぞれの商品収納ラック４０は、側板４１の上端部に設けた取付金具４４をラック支持フレーム３０の横フレーム材３２に係止させ、さらにこれら取付金具４４およびラック支持フレーム３０の横フレーム材３２をネジ４５によって互いに螺着することにより、ラック支持フレーム３０に吊下保持させてある。
【００４３】
ここで、上記自動販売機によれば、ラック支持フレーム３０を保持するための取付部材として、前方フレーム材２２を外箱１０の上壁１１に設ける一方、後方フレーム材２３を背壁１４に設けるようにしているため、商品収納ラック４０の荷重が上壁１１と背壁１４とに分散されることになる。しかも、前方フレーム材２２および後方フレーム材２３として、それぞれ複屈曲したハット形状の横断面を有したものを適用しているため、これら前方フレーム材２２および後方フレーム材２３を通じて外箱１０に加わる荷重も分散されることになる。これらの結果、商品収納ラック４０に多数の商品を収納させた場合にも、外箱１０に変形等の不具合を招来する虞れがない。
【００４４】
また、上記自動販売機によれば、商品収納ラック４０を保持するラック支持フレーム３０が前方フレーム材２２および後方フレーム材２３のそれぞれに載置された状態にあるため、前方フレーム材２２と縦フレーム材３１との重合部分を固定する固定ネジ２４に過大な荷重が加えられることもなく、仮にこの固定ネジ２４が外れた場合であっても、商品収納ラック４０が脱落する事態を招来する虞れがない。
【００４５】
尚、図１中の符号４６は、商品収納ラック４０から払い出された商品を案内するべく室の後方から前方に向けて低く傾斜するように配設した商品シュータである。また、図には明示していないが、各室の内部において商品シュータ４６より下方となる領域には、商品収納ラック４０に収納した商品を所望の温度に維持するための冷却ユニットや加熱ヒータが設けてある。
【００４６】
一方、上記自動販売機には、図１に示すように、外扉６０、並びに本発明の扉体である内扉７０が設けてある。外扉６０は、外箱１０の前面開口を覆うためのもので、外扉６０の一側縁部に開閉可能に配設してある。図には明示していないが、この外扉６０の前面には、商品を販売する際に必要となるディスプレイウィンドウ、商品選択押ボタン、紙幣挿通口、硬貨投入口、返却レバー、金額表示器、硬貨返却口、商品取出口６１が設けてある。
【００４７】
内扉７０は、外扉６０の上部内面に設けた断熱体６２とともに商品収容庫２０の前面を覆うためのもので、外扉６０よりも内方となる位置において外箱１０の一側縁部に開閉可能に配設してある。この内扉７０は、商品収容庫２０の各室に対応した下端部に商品搬出口扉７１を備えた商品搬出口７２を備えており、商品収納ラック４０から商品が商品シュータ４６に払い出された場合に商品搬出口７２を通じて商品を外部に搬出することが可能である。
【００４８】
図１０に示すように、上記内扉７０は、扉本体７３と、一対の側縁補強部材７４と、下部前面板金体７５と、上部前面板金体７６と、下部背面板金体７７と、複数（本実施例では３つ）の商品搬出口枠７８とを備えて構成してある。
【００４９】
扉本体７３は、発泡ウレタン等の断熱材によって予め板状に成形したもので、内扉７０の外形寸法とほぼ同一の大きさを有している。この扉本体７３には、上述した商品搬出口７２に対応する部位にそれぞれ搬出用開口７３ａが形成してある。各搬出用開口７３ａは、それぞれ一様な幅をもって扉本体７３の下方に延在し、該扉本体７３の下端面に開放している。図には明示していないが、この扉本体７３においても、表裏両面にそれぞれ面材として樹脂フィルムやクラフト紙が貼着してあるのは、上述した断熱ボード２１と同様である。
【００５０】
一対の側縁補強部材７４は、扉本体７３の両側縁部に配設した金属製の長尺部材である。より具体的には、扉本体７３の側端面を覆う基準部分７４ａと、この基準部分７４ａの両側からそれぞれ扉本体７３の前面および背面を覆う態様で直角に屈曲した側部分７４ｂとを有して側縁補強部材７４を構成してあり、横断面がコの字状を成している。図には明示していないが、側縁補強部材７４と扉本体７３との間は、例えば両面テープによって相互に接着してある。
【００５１】
それぞれの側縁補強部材７４には、図１３に示すように、基準部分７４ａに熱移動規制切欠７４ｃが設けてある。熱移動規制切欠７４ｃは、上下方向に沿って延在したスリット状を成すもので、扉本体７３の前面側に位置する側部分７４ｂと扉本体７３の背面側に位置する側部分７４ｂとの間の熱移動経路を迂回させるべく、２本の仮想直線上に千鳥状となる態様で形成してある。
【００５２】
下部前面板金体７５、上部前面板金体７６および下部背面板金体７７は、それぞれ金属製の板状部材によって成形したものである。下部前面板金体７５は、扉本体７３の搬出用開口７３ａに対応する切欠７５ａを有したもので、図１１に示すように、各切欠７５ａを搬出用開口７３ａに合致させ、該搬出用開口７３ａの周囲を覆うとともに、扉本体７３の上方部前面を露出させる態様で扉本体７３の下方部前面に配設してある。上部前面板金体７６は、ほぼ矩形の平板状を成すもので、下部前面板金体７５から離隔する態様で扉本体７３の上方部前面に配設してある。この上部前面板金体７６には、銘板等の付属品を保持するための保持手段７６ａが複数設けてある。下部背面板金体７７は、扉本体７３の搬出用開口７３ａに対応する切欠７７ａを有したもので、図１２に示すように、各切欠７７ａを搬出用開口７３ａに合致させ、該搬出用開口７３ａの周囲を覆うとともに、扉本体７３の上方部背面を露出させる態様で扉本体７３の下方部背面に配設してある。
【００５３】
尚、これら下部前面板金体７５、上部前面板金体７６および下部背面板金体７７を扉本体７３に配設する方法としては、両面テープを適用すれば良い。また、それぞれの板金体７５，７６，７７を側縁補強部材７４にネジ止めするようにしても良い。
【００５４】
商品搬出口枠７８は、内扉７０の商品搬出口７２を規定するためのもので、それぞれ樹脂材によって矩形の枠状に構成してある。各商品搬出口枠７８には、図１０に示すように、枠本体７８ａに背面フランジ７８ｂおよび前面フランジ７８ｃが設けてある。これら背面フランジ７８ｂおよび前面フランジ７８ｃは、枠本体７８ａの開口周縁部から外方に向けて延在した部分である。尚、図には明示していないが、それぞれの商品搬出口枠７８には、個々の開口を閉塞する商品搬出口扉７１が上方の水平軸を中心として開閉可能に配設してある。
【００５５】
上記の構成を有する商品搬出口枠７８は、扉本体７３に側縁補強部材７４、下部前面板金体７５、上部前面板金体７６および下部背面板金体７７を配設した後、図１４の（ａ）〜（ｃ）に示すように、扉本体７３の下端面から搬出用開口７３ａにスライドさせることによって当該扉本体７３に装着される。この場合、図１５に示すように、背面フランジ７８ｂを下部背面板金体７７の外表面に重ね合わせるとともに、前面フランジ７８ｃを下部前面板金体７５の外表面に重ね合わせた状態で扉本体７３に対する商品搬出口枠７８の装着を行う。扉本体７３に装着した商品搬出口枠７８は、例えば背面フランジ７８ｂを介して下部背面板金体７７にネジ止めしたり、前面フランジ７８ｃを介して下部前面板金体７５にネジ止めすることによって所望の位置に固定する。
【００５６】
尚、図１０中の符号７９は、内扉７０の上縁に取り付けたシール部材である。このシール部材７９は、外扉６０に設けた断熱体６２との間をシールするためのものである。
【００５７】
さらに、上記内扉７０には、その前面側において商品搬出口７２の下方側縁部となる位置に防盗部品８０が設けてある。この防盗部品８０は、図１６に示すように、内扉７０の前面から前方に突出することによって外扉６０との間の間隙を狭め、例えば悪意のあるものが商品取出口６１から内扉７０の前面に沿って手を差し入れようとした場合にもその動作を邪魔するためのものである。
【００５８】
本実施例においては、図１７に示すように、補強部材８１、補助補強部材８２およびカバー部材８３を介して内扉７０に防盗部品８０を取り付けるようにしている。
【００５９】
補強部材８１は、下部前面板金体７５よりも板厚の大きな金属板によって構成したもので、該下部前面板金体７５の下部外表面から扉本体７３の下端部に亘る部位に配設してある。この補強部材８１には、その前面となる部分８１ａおよび下面となる部分８１ｂにそれぞれ雌ネジ孔８１ｃが設けてあり、前面となる部分８１ａに取付ネジ８４を介して防盗部品８０が取り付けてある。
【００６０】
補助補強部材８２は、下部背面板金体７７よりも板厚の大きな金属板によって構成したもので、該下部背面板金体７７の下部外表面に沿って下方に延在した後、その下端部が後方側に向けて突出する態様で下部背面板金体７７に接合してある。
【００６１】
カバー部材８３は、補強部材８１の下面に設けた雌ネジ孔８１ｃにネジ８５を介して内扉７０の下端面に取り付けたもので、補強部材８１の前面に位置して取付ネジ８４の前方域に覆着したカバー部分８３ａと、補助補強部材８２の下端部に係合する係合部分８３ｂとを有している。
【００６２】
上記のように構成した自動販売機では、内扉７０を閉成した場合、商品収容庫２０に構成した室がそれぞれ外部雰囲気に対して熱的に遮断されることになり、加熱ヒータを駆動すれば、内部雰囲気を通じて商品収納ラック４０の商品を５５℃程度に加熱することができる一方、冷却ユニットを駆動すれば、内部雰囲気を通じて商品収納ラック４０の商品を５℃程度に冷却することができるようになる。
【００６３】
ここで、上記自動販売機によれば、外箱１０の内壁面に前方フレーム材２２および後方フレーム材２３を突設し、これら前方フレーム材２２および後方フレーム材２３を介して外箱１０の上壁１１から離隔する態様でラック支持フレーム３０を配設しているため、内箱を要することなく断熱構造の商品収容庫２０を構成することができるとともに、商品収納ラック４０を保持することができる。さらに、断熱材によって構成した扉本体７３の背面には、その下方部背面にのみ下部背面板金体７７を設けるようにしているため、内扉７０を閉成した場合にも熱の移動経路となる金属部分を可及的に小さくすることができる。また、商品収納ラック４０を保持するラック支持フレーム３０は、断熱仕切板５０によって仕切られた室ごとに分割構成されたものであるため、これらが熱の移動経路となることもない。従って、例えば商品収容庫２０の内部において商品を加熱している室と、商品を冷却している室との間での熱の授受を可及的に抑制することができ、消費電力を著しく低減することが可能となる。
【００６４】
しかも、上記自動販売機によれば、商品搬出口７２の周囲を覆う態様で下部背面板金体７７を設けるようにしているため、商品収容庫２０から商品シュータ４６に払い出された商品が衝突した場合であっても、断熱材である扉本体７３に損傷を来す虞れがなく、常に十分な断熱機能を確保することができ、扉本体７３の損傷に起因して消費電力が増大する事態を招来する虞れもない。
【００６５】
さらに、上記自動販売機によれば、内扉７０の商品搬出口枠７８に背面フランジ７８ｂを設け、この背面フランジ７８ｂを下部背面板金体７７に重ね合わせるようにしているため、商品が商品搬出口枠７８に衝突した場合にもその脱落を有効に防止することができるようになる。
【００６６】
またさらに、上記自動販売機によれば、扉本体７３の前面が剥き出しではなく、下部前面板金体７５を設けているため、悪意のあるものが商品取出口６１から手を差し入れたとしても内扉７０が容易に破壊される虞れはない。加えて、下部前面板金体７５に補強部材８１を介在させた状態で商品搬出口７２の下方側縁部から下部前面板金体７５の前方に突出する防盗部品８０を設けるようにしているため、悪意のあるものが商品取出口６１から内扉７０の前面に沿って手を差し入れようとした場合にもその動作を確実に邪魔することができ、その防盗性を維持することが可能となる。
【００６７】
尚、上述した実施例では、内扉の前面に上下に分割した板金体を設けるようにしているため、重量の低減および製造コストの低減を図ることができるばかりか、扉本体が露出した部分をホワイトボードとしても使用することが可能である。しかしながら、必ずしも板金体を分割して設ける必要はなく、１枚の板金体によって内扉の前面を覆うようにしても構わない。
【図面の簡単な説明】
【００６８】
【図１】本発明の実施例である扉体を適用した自動販売機を概念的に示す斜視図である。
【図２】図１に示した自動販売機の外扉および商品収容庫の構成を示す概念図である。
【図３】図１に示した自動販売機の要部断面側面図である。
【図４】図１に示した自動販売機に適用されるラック支持フレームの取付構造を示す斜視図である。
【図５】図１に示した自動販売機に適用されるラック支持フレームを上方側から見た斜視図である。
【図６】図１に示した自動販売機においてラック支持フレームの取付手順を示す概念図である。
【図７】図１に示した自動販売機においてラック支持フレームの前端部と前方フレーム材との接続状態を示す拡大斜視図である。
【図８】図１に示した自動販売機においてラック支持フレームの後端部と後方フレーム材との接続状態を示す拡大斜視図である。
【図９】図１に示した自動販売機に適用されるラック支持フレームを下方側から見た斜視図である。
【図１０】本発明の扉体である内扉の分解斜視図である。
【図１１】図１０に示した内扉を正面側から見た斜視図である。
【図１２】図１０に示した内扉を背面側から見た斜視図である。
【図１３】図１０に示した内扉の要部拡大斜視図である。
【図１４】図１０に示した内扉において商品搬出口枠の取付手順を示す概念図である。
【図１５】図１０に示した内扉の要部拡大断面図である。
【図１６】図１０に示した内扉の要部を概念的に示す側面図である。
【図１７】図１０に示した内扉の要部を示す拡大断面側面図である。
【符号の説明】
【００６９】
１０      外箱
１１      上壁
１２      側壁
１３      底壁
１４      背壁
１５      台座壁
２０      商品収容庫
２１      断熱ボード
２２      前方フレーム材
２２ａ      基部
２２ｂ      側部
２２ｃ      フランジ部
２２ｄ      前方スリット
２２ｄ１      矩形開口部
２２ｄ２      溝状部
２２ｅ      ネジ挿通孔
２３      後方フレーム材
２３ａ      基部
２３ｂ      側部
２３ｃ      フランジ部
２３ｄ      後方スリット
２３ｅ      ナット部材
２４      固定ネジ
３０      ラック支持フレーム
３１      縦フレーム材
３１ａ      縦材水平部
３１ｂ      縦材垂下部
３１ｃ      ネジ孔
３１ｄ      載置部
３１ｅ      係合部
３２      横フレーム材
３２ａ      横材水平部
３２ｂ      横材垂下部
３２ｃ      係止部
４０      商品収納ラック
４１      側板
４２      案内部材
４３      商品収納域
４４      取付金具
４５      ネジ
４６      商品シュータ
５０      断熱仕切板
６０      外扉
６１      商品取出口
６２      断熱体
７０      内扉
７１      商品搬出口扉
７２      商品搬出口
７３      扉本体
７３ａ      搬出用開口
７４      側縁補強部材
７４ａ      基準部分
７４ｂ      側部分
７４ｃ      熱移動規制切欠
７５      下部前面板金体
７５ａ      切欠
７６      上部前面板金体
７６ａ      保持手段
７７      下部背面板金体
７７ａ      切欠
７８      商品搬出口枠
７８ａ      枠本体
７８ｂ      背面フランジ
７８ｃ      前面フランジ
７９      シール部材
８０      防盗部品
８１      補強部材
８１ｃ      雌ネジ孔
８２      補助補強部材
８３      カバー部材
８３ａ      カバー部分
８３ｂ      係合部分
８４      取付ネジ
８５      ネジ
Ｂ      転倒防止用ボルト
【図１】
2005078275.tif 000003
【図２】
2005078275.tif 000004
【図３】
2005078275.tif 000005
【図４】
2005078275.tif 000006
【図５】
2005078275.tif 000007
【図６】
2005078275.tif 000008
【図７】
2005078275.tif 000009
【図８】
2005078275.tif 000010
【図９】
2005078275.tif 000011
【図１０】
2005078275.tif 000012
【図１１】
2005078275.tif 000013
【図１２】
2005078275.tif 000014
【図１３】
2005078275.tif 000015
【図１４】
2005078275.tif 000016
【図１５】
2005078275.tif 000017
【図１６】
2005078275.tif 000018
【図１７】
2005078275.tif 000019